(57)【特許請求の範囲】
【請求項１】
コンピュータシステムが処理待ちの各１０進数１３桁の第１組のデータ及び第２組のデータの２組のデータを取得するステップと、
前記コンピュータシステムが前記第１組のデータがＥＡＮコード（１３桁）の符号化原則に符合するか否か、前記第２組のデータが商品フロー番号の符号化原則に符合するか否かを判断し、符合する場合、次のステップに進み、符合しない場合、エラー表示を行うステップと、
前記コンピュータシステムが商用暗号アルゴリズムによる暗号化演算により、前記ＥＡＮコード（１３桁）の符号化原則に符合する第１組のデータと、前記商品フロー番号の符号化原則に符合する第２組のデータとから、１組の１０進数１３桁の検証コードデータ（即ち、第３組のデータ）を生成し、前記３組のデータをそれぞれ保存するステップと、
前記第１組のデータ、前記第２組のデータ及び前記第３組のデータを１つの商品に対応させるステップと、
前記コンピュータシステムが前記第１組のデータ、前記第２組のデータ及び前記第３組のデータを３行に分割し、機械での識別に用いるために、対応する前記商品上に印刷するステップと、
前記コンピュータシステムが前記商品の流通先に基づき、前記商品に対応する６桁の郵便番号を付与し、前記郵便番号（即ち、追跡コード）を記録し、前記商品の流通先を示すステップと、
前記コンピュータシステムがウェブページを介し、前記追跡コードを表示するステップと、
前記コンピュータシステムがウェブページを介し、前記第１組のデータ、前記第２組のデータ、前記追跡コード、認証コード、生産日、出荷日及び有効期限を表示すると共に、表示ウィンドウと、ユーザが入力を行う入力ウィンドウと、を設け、ユーザが前記入力ウィンドウから前記第３組のデータを入力すると、前記コンピュータシステムが前記入力されたデータと、コンピュータ中に保存された前記第１組のデータ及び前記第２組のデータと、の暗号化逆演算を行った後、チェック演算を行って認証コードを取得し、前記表示ウィンドウの前記認証コードが０と表示された場合、正確な情報であることを示し、そうでない場合、前記表示ウィンドウの前記認証コードを１と表示し、間違った情報であることを示すステップと、を含むことを特徴とするインターネットによる商品流通管理方法。
【請求項２】
前記商品を販売する際、販売者が対応する各商品に１０進数６桁の乱数（即ち、財産権コード）を付与し、前記コンピュータシステムが前記財産権コードをメモリ中に保存し、ユーザが前記商品を購入した際、前記財産権コードを取得し、前記ユーザが前記表示ウィンドウに前記財産権コードを入力した際、前記表示ウィンドウに前記財産権コードが正確であることが表示された場合、前記販売者が前記商品の販売権を有することを示し、前記表示ウィンドウに前記財産権コードが正確であることが表示された後、前記コンピュータシステムが前記財産権コードを修正するか否かを表示し、前記ユーザが表示ウィンドウに新しい財産権コードを入力した場合、前記コンピュータシステムが前記メモリ中に保存された財産権コードを更新するステップをさらに含むことを特徴とする請求項１に記載のインターネットによる商品流通管理方法。
【請求項３】
商品がインターネットで販売される場合、
前記コンピュータシステム中に前記商品に対応する前記第１組のデータ及び前記第２組のデータを保存し、前記ウェブページに前記第１組のデータ及び前記第２組のデータを表示し、前記ウェブページには、購入するか否かのマークが表示され、ユーザが前記商品を購入する場合、選定した前記商品に対応する前記第１組のデータ及び前記第２組のデータをクリックすることができ、クリックすると、支払いウィンドウがポップアップされ、支払い手続きが完了した後、前記コンピュータシステムが入金の完了を確認し、電子契約書の情報をポップアップし、ユーザが前記電子契約書への記入を完了すると、前記コンピュータシステムが電子売買契約書を自動的に生成し、前記電子契約書の内容情報（ユーザの住所、氏名、連絡方式及び郵便番号を含む）を記録すると同時に、前記購入商品を自動追跡し、前記商品に対応する１０進数６桁の乱数（即ち、財産権コード）を生成するステップと、
前記コンピュータシステムが前記契約情報内容中の郵便番号（即ち、追跡コード）に基づき、前記商品の配送先を確認し、前記商品を物流システムに進入させ、購入者に届けるステップと、をさらに含むことを特徴とする請求項１又は２に記載のインターネットによる商品流通管理方法。
【発明の詳細な説明】
【技術分野】
【０００１】
本発明は、コンピュータ及び商用暗号技術を商品の安全管理に応用する技術に関し、特に、コンピュータソフトウェア及びコンピュータハードウェアを介し、単一商品の識別、認証、追跡及び回収を行うことにより、商品の信頼性を保証するインターネットによる商品流通管理方法に関する。
【背景技術】
【０００２】
社会が発展するに従い、特許文献１の偽造防止検索システム及び特許文献２の組合式偽造防止コード及びその方法など、多くの商品の偽造防止技術が開発され、応用されている。コンピュータ技術及び情報技術が発展するに従い、暗号技術の発展も急速に進み、応用範囲も拡大され続けている。また、社会化及び個性化の趨勢が世界中で進んでいる。例えば、暗号技術が付加価値税のインボイスに応用されることにより、偽造及び改ざんが防止され、付加価値税のインボイスを利用したドッジング、脱税、詐欺などの不正行為が根絶されたため、税務監査の際の利便性が高められた。
【０００３】
１９９９年１０月７日、中国国務院は、商用暗号管理条例を施行した。
【０００４】
２００６年１月、中国国家暗号管理局は、ハッシュアルゴリズム（ＳＨＡ−２５６）及び乱数生成アルゴリズム（単独選択）を批准した。
【０００５】
２００９年６月１日、食品安全法を施行し、生産メーカに商品追跡回収システム及びインボイス記録制度を構築するよう要求した。
【０００６】
ＯＣＲ（Ｏｐｔｉｃａｌ  Ｃｈａｒａｃｔｅｒ  Ｒｅｃｏｇｎｉｔｉｏｎ）技術は、入力速度が速く、信頼性が高く、収集データ量が多く、融通性が高く、実用性が高いため、すでに広く応用されている。
【０００７】
コンピュータネットワーク技術は、益々成熟しており、生産メーカと消費者との距離が近くなり、直接販売方式が人気があるが、インターネット販売される商品が偽造品でないことを保証するのは難しい。
【０００８】
ＥＡＮコード（１３桁）は、流通業界における商品識別コードの世界規格である。ＥＡＮコード（１３桁）と商品とは、１対複数の関係であるため、メーカが流通中の商品を管理することは困難であり、流通秩序の混乱を引き起こしている。また、ＥＡＮコード（１３桁）は、偽造しやすいため、消費者に多くの不便をもたらしている。
【先行技術文献】
【特許文献】
【０００９】
【特許文献１】中国特許出願第２００４１００５８００４．１号
【特許文献２】中国特許出願第２００４１００６６８５７．Ｘ号
【発明の概要】
【発明が解決しようとする課題】
【００１０】
本発明の目的は、コンピュータネットワーク技術及び暗号技術を利用することにより、メーカと消費者と管理機構との間における各商品の識別、認証、追跡及び回収に関わる技術的問題を解決することができ、流通秩序を標準化するものであり、消費者が商品を複数回検索し、商品の真偽を検証することができることにより、従来の偽造防止技術の問題を解決でき、消費者の権益を保護することができるインターネットによる商品流通管理方法を提供することにある。
【課題を解決するための手段】
【００１１】
上述の課題を解決するために、本発明のインターネットによる商品流通管理方法は、以下（１）〜（８）のステップを含む。
【００１２】
（１）コンピュータシステムが処理待ちの各１０進数１３桁の第１組のデータ及び第２組の２組のデータを取得するステップ。
【００１３】
（２）コンピュータシステムが第１組のデータがＥＡＮコード（１３桁）の符号化原則に符合するか否か、第２組のデータが商品フロー番号の符号化原則に符合するか否かを判断し、符合する場合、次のステップに進み、符合しない場合、エラー表示を行うステップ。
【００１４】
（３）コンピュータシステムが商用暗号アルゴリズムによる暗号化演算により、上述のＥＡＮコード（１３桁）の符号化原則に符合する第１組のデータと、商品フロー番号の符号化原則に符合する第２組のデータとから、１組の１０進数１３桁の検証コードデータ（第３組のデータ）を生成し、３組のデータをそれぞれ保存するステップ。
【００１５】
（４）第１組のデータ、第２組のデータ及び第３組のデータを１つの商品に対応させるステップ。
【００１６】
（５）コンピュータシステムが第１組のデータ、第２組のデータ及び第３組のデータを３行に分割し、機械での識別に用いるために、対応する商品上に印刷するステップ。
【００１７】
（６）コンピュータシステムが商品の流通先に基づき、商品に対応する６桁の郵便番号を付与し、郵便番号（即ち、追跡コード）を記録し、商品の流通先を示すステップ。
【００１８】
（７）コンピュータシステムがウェブページを介し、追跡コードを表示するステップ。
【００１９】
（８）コンピュータシステムがウェブページを介し、第１組のデータ、第２組のデータ、追跡コード、認証コード、生産日、出荷日及び有効期限を表示すると共に、表示ウィンドウと、ユーザが入力を行う入力ウィンドウと、を設け、ユーザが入力ウィンドウから第３組のデータを入力すると、コンピュータシステムが入力されたデータと、コンピュータ中に保存された第１組のデータ及び第２組のデータと、の暗号化逆演算を行った後、チェック演算を行って認証コードを取得し、表示ウィンドウの認証コードが０と表示された場合、正確な情報であることを示し、そうでない場合、表示ウィンドウの認証コードを１と表示し、間違った情報であることを示すステップ。
【００２０】
本発明のインターネットによる商品流通管理方法は、以下のステップをさらに含む。商品を販売する際、販売者が対応する各商品に１０進数６桁の乱数（即ち、財産権コード）を付与し、コンピュータシステムが財産権コードをメモリ中に保存し、ユーザが当該商品を購入した際、財産権コードを取得し、ユーザが表示ウィンドウに当該財産権コードを入力した際、表示ウィンドウに財産権コードが正確であることが表示された場合、販売者が当該商品の販売権を有することを示し、表示ウィンドウに財産権コードが正確であることが表示された後、コンピュータシステムが当該財産権コードを修正するか否かを表示し、ユーザが表示ウィンドウに新しい財産権コードを入力した場合、コンピュータシステムがメモリ中に保存された財産権コードを更新するステップ。
【００２１】
商品がインターネットで販売される場合、本発明のインターネットによる商品流通管理方法は、以下（１）及び（２）のステップをさらに含む。
【００２２】
（１）コンピュータシステム中に商品に対応する第１組のデータ及び第２組のデータを保存し、ウェブページに第１組のデータ及び第２組のデータを表示し、ウェブページには、購入するか否かのマークが表示され、ユーザが商品を購入する場合、選定した商品に対応する第１組のデータ及び第２組のデータをクリックすることができ、クリックすると、支払いウィンドウがポップアップされ、支払い手続きが完了した後、コンピュータシステムが入金の完了を確認し、電子契約書の情報をポップアップし、ユーザが電子契約書への記入を完了すると、コンピュータシステムが電子売買契約書を自動的に生成し、電子契約書の内容情報（ユーザの住所、氏名、連絡方式及び郵便番号を含む）を記録すると同時に、当該購入商品を自動追跡し、商品に対応する１０進数６桁の乱数（即ち、財産権コード）を生成するステップ。
【００２３】
（２）コンピュータシステムが契約情報内容中の郵便番号（即ち、追跡コード）に基づき、商品の配送先を確認し、商品を物流システムに進入させ、購入者に届ける。
【発明の効果】
【００２４】
本発明のインターネットによる商品流通管理方法は、明示された部分及び暗号化された部分を有し、生産者、販売者、消費者及び管理者それぞれに対し、商品の生産、販売、消費者による購入、管理部門による管理から、商品の回収までを一目瞭然に示すことができるため、偽造を困難にすることができる。
【図面の簡単な説明】
【００２５】
【図１】ＥＡＮコード（１３桁）（即ち、第１組のデータ）を示す。第１組のデータは、１０進数１３桁の数字からなり、ＥＡＮコード（１３桁）の符号化原則に符合する。
【図２】商品のフロー番号コード（即ち、第２組のデータ）を示す。第２組のデータは、１０進数１３桁の数字からなり、フロー番号の符号化原則に符合する。
【図３】商品の検証コード（即ち、第３組のデータ）を示す。第３組のデータは、１０進数１３桁の数字からなり、商用暗号アルゴリズムによる暗号化によって生成される。
【図４】商品の追跡コードである。追跡コードは、１０進数６桁の数字からなり、郵便番号の符号化原則に符合する。
【図５】商品の財産権コードである。財産権コードは、１０進数６桁の数字からなり、コンピュータシステムによってランダムに生成されるか、消費者によって入力される乱数である。
【図６】ＣＮ３９コードとＥＡＮコード（１３桁）のバーコードとの対照図である。
【図７】ＣＮ３９コードの製造方法を示す流れ図である。
【図８】ＣＮ３９コードの識別方法を示す流れ図である。
【図９】ＣＮ３９コードの対比方法を示す流れ図である。
【図１０】ＣＮ３９コードのデータフローを示す流れ図である。
【発明を実施するための形態】
【００２６】
本発明のインターネットによる商品流通管理方法中、第１組のデータの符号化原則は、ＥＡＮコード（１３桁）の符号化原則である。第２組のデータの符号化原則（即ち、商品フロー番号の符号化原則）は、第１桁〜第４桁の４桁が年コードであり、第５桁〜第６桁の２桁が月コードであり、第７桁〜第８桁の２桁が日コードであり、第９桁〜第１３桁の５桁が商品フロー番号コードである。
【００２７】
第１組のデータ及び第２組のデータが商用暗号アルゴリズムによって暗号化演算されることにより、１０進数１３桁の第３組のデータ（即ち、検証コード）が取得される。
【００２８】
本発明のインターネットによる商品流通管理方法中、検証コードが取得された後、商用暗号アルゴリズムによって暗号解読演算を行うことにより、１０進数１３桁の第１組及び第２組の２組のデータが取得される。その後、チェック演算により、認証コードデータが取得される。
【００２９】
本発明のインターネットによる商品流通管理方法中、第１組、第２組及び第３組のデータは、それぞれ、下部、中部及び上部の３行に分割され、バーコード及び数字によって商品上に印刷される。この３行は、ＣＮ３９コードと定義する。
【００３０】
本発明は、ＥＡＮコード（１３桁）にフロー番号コード及び検証コードを加えたものである。ＥＡＮコード（１３桁）は、世界中において１つの商品の種類を識別する。フロー番号コードは、ある種の商品中の１つの商品を識別する。検証コードは、商用暗号アルゴリズムにより、ＥＡＮコード（１３桁）及びフロー番号コードを暗号化することによって生成される。検証コードが取得された後、商用暗号アルゴリズムによる暗号解読により、ＥＡＮコード（１３桁）及びフロー番号コードが取得され、検証が完了する。ＣＮ３９コードは、世界中において１つの商品を識別し、１つの商品のＣＮ３９コードが予測される可能性は、１０兆分の１であるため、ＣＮ３９コードが商品を識別する誤差は、１０兆分の１である。
【００３１】
一．ＥＡＮコード（１３桁）
【００３２】
中国は、現在、ＥＡＮ（Ｅｕｒｏｐｅａｎ  Ａｒｔｉｃｌｅ  Ｎｕｍｂｅｒ）の会員である。ＥＡＮは、商品番号センターによって管理されており、各メーカは、申請して使用することができる。ＥＡＮコードは、１３桁及び８桁に分けられ、１３桁は、一般の商品上に使用され、８桁は、体積が特に小さい商品上に使用される。
【００３３】
（一）ＥＡＮコード（１３桁）の暗号化原則：
第１桁〜第３桁は、国コードである。
第４桁〜第７桁は、メーカコードである。
第８桁〜第１２桁は、商品コードである。
第１３桁は、チェックデジットである。
【００３４】
前３桁は、国際的に統一されて分配されており、中国は、６９０〜６９５である。
【００３５】
６９０又は６９１から始まる場合、第４桁〜第７桁は、メーカコードであり、第８桁〜第１２桁は、商品コードである。
【００３６】
６９２〜６９５から始まる場合、第４桁〜第８桁は、メーカコードであり、第９桁〜第１２桁は、商品コードである。
【００３７】
最後の１桁は、チェックデジットである。
【００３８】
（二）図書類のコード：
１．ＥＡＮコード（１３桁）：
第１桁〜第３桁は、図書類コード９７８である。
第４桁〜第１２桁は、ＩＳＢＮコードの前９桁である。
第１３桁は、チェックデジットである。
２．ＩＳＢＮコード：
第１桁〜第３桁は、地区コードである。
第４桁〜第５桁は、出版機構のコードである。
第６桁〜第９桁は、出版品のコードである。
第１０桁は、チェックデジットである。
３．ＩＳＢＮコードとＥＡＮコード（１３桁）との対応関係：
９７８＋ＩＳＢＮの前９桁＋ＥＡＮチェックデジット
【００３９】
（三）定期刊行物類のコード：
１．ＥＡＮコード（１３桁）：
第１桁〜第３桁は、定期刊行物類コード９７７である。
第４桁〜第１０桁は、ＩＡＳＮコードの前７桁のコードである。
第１１桁〜第１２桁は、００である。
第１３桁は、チェックデジットである。
２．ＩＳＳＮコード：
第１桁〜第７桁は、定期刊行物の国際標準シリアル番号である。
第８桁は、チェックデジットである。
３．ＩＳＳＮコードとＥＡＮコード（１３桁）との対応関係：
９７７＋ＩＳＳＮの前７桁＋００＋ＥＡＮチェックデジット
（Ｉｎｔｅｒｎａｔｉｏｎａｌ  Ｓｔａｎｄａｒｄ  Ｓｅｒｉａｌ  Ｎｕｍｂｅｒ）
【００４０】
（四）ＥＡＮコード（８桁）とＥＡＮコード（１３桁）との関係：
１．ＥＡＮコード（８桁）の暗号化原則：
第１桁〜第３桁は、国コードである。
第４桁〜第７桁は、メーカコードである。
第８桁は、チェックデジットである。
２．ＥＡＮコード（８桁）をＥＡＮコード（１３桁）に変換：
留保：第１桁〜第３桁の国コード
第４桁〜第７桁のメーカコード
増加：第８桁〜第１２桁に０００００
第１３桁は、ＥＡＮコード（１３桁）のチェックデジットである。
３．ＥＡＮコード（８桁）とＥＡＮコード（１３桁）との関係：
ＥＡＮコード（８桁）の前７桁＋０００００＋ＥＡＮコード（１３桁）のチェックデジット
【００４１】
（五）ＥＡＮコード（１３桁）とＵＰＣコードとの関係：
米国及びカナダに商品を導入する際、ＵＰＣコードを申請する必要があり、ＥＡＮコード（１３桁）とＵＰＣコードとは、互換性がある。
【００４２】
二．フロー番号コード
【００４３】
１．当該商品の１日の生産量が１０万件未満の場合：
第１桁〜第４桁の４桁は、年コードである（例えば、２００９年）。
第５桁〜第６桁の２桁は、月コードである（例えば、０６月）。
第７桁〜第８桁の２桁は、日コードである（例えば、０１日）。
第９桁〜第１３桁の５桁は、商品フロー番号コードである（例えば、０００００−９９９９９）。
【００４４】
２．当該商品の１日の生産量が１００万件未満の場合
第１桁〜第３桁の３桁は、年コードである（例えば、２００９年は００９と表示）。
第４桁〜第５桁の２桁は、月コードである（例えば、０６月）。
第６桁〜第７桁の２桁は、日コードである（例えば、０１日）。
第８桁〜第１３桁の６桁は、商品フロー番号コードである（例えば、００００００−９９９９９９）。
【００４５】
３．当該商品の１日の生産量が１０００万件未満の場合
第１桁〜第２桁の２桁は、年コードである（例えば、２００９年は０９と表示）。
第３桁〜第４桁の２桁は、月コードである（例えば、０６月）。
第５桁〜第６桁の２桁は、日コードである（例えば、０１日）。
第７桁〜第１３桁の７桁は、商品フロー番号コードである（例えば、０００００００−９９９９９９９）。
【００４６】
４．当該商品の１日の生産量が１００００万件未満の場合
第１桁〜第２桁の２桁は、年コードである（例えば、２００９年は０９と表示）。
第３桁〜第５桁の３桁は、日コードである（例えば、３６５日）。
第６桁〜第１３桁の８桁は、商品フロー番号コードである（例えば、００００００００−９９９９９９９９）。
【００４７】
三．検証コード
【００４８】
検証コードは、商用暗号アルゴリズムにより、第１組のＥＡＮコード（１３桁）及び第２組のフロー番号コードを暗号化して生成された１０進数１３桁の数字であり、唯一であり、ランダムである。
【００４９】
上述の３組のデータがそれぞれ下部、中部及び上部に並べられることにより、ＣＮ３９コードが取得される。ＣＮ３９コードは、世界中において１つの商品を識別することができる。また、商用暗号アルゴリズムによる暗号化及び復号化により、真偽を検証することができ、商品識別及び商品鑑別を行うことができる。
【００５０】
ＥＡＮコード（１３桁）は、ＣＮ３９コードのデータキャリアとされる。ＣＮ３９コードは、３行に分割されて商品上に印刷され、商品識別に用いられる。
【００５１】
四．上述のステップによって製造されるＣＮ３９コードは、以下に示す長所を有する。
【００５２】
ＣＮ３９コードは、２組の平文及び１組の暗号文から構成され、ＣＮ３９コードの安全信頼性は、暗号アルゴリズムの機密性及び暗号鍵を基に構築されるため、公開された暗号文は、暗号アルゴリズムの安全性に影響を与えない。即ち、暗号アルゴリズムが解読される可能性は、存在しないと見なされる。
【００５３】
ＣＮ３９コードは、１０進数３９桁の数字から構成されるため、変化量は、１０３９である。このため、全ての商品のＣＮ３９コードは、唯一であることが保証される。ＣＮ３９コードは、３組の１０進数１３桁の数字から構成され、その中で、２６桁が平文であり、１３桁が検証コード（即ち、暗号文）である。従って、ＣＮ３９コードが予測される確率は、１０兆分の１であり、予測される確率が非常に低い。また、予測されたとしても、他のＣＮ３９コードの脅威とはならない。
【００５４】
認証センターは、暗号アルゴリズム及び暗号鍵を有し、生産メーカは、ＣＮ３９コードを有し、消費者は、商品を有し、３者の認証メカニズムが構築される。消費者は、商品上のＣＮ３９コードに基づき、生産メーカのウェブページから真偽を検索することができる。一致した場合、生産メーカから当該ＣＮ３９コードの某時間及び某地点における状態が表示され、消費者は、表示内容に基づき真偽を判断することができる。問題がある場合、商品は、即座に回収される上、当該ＣＮ３９コードは、廃止される。平文が一致しない場合、メーカによって商品が偽造品であると判断される。検証コードが一致しない場合、認証センターが真偽を判定し、認証コードが一致する一方が本物であり、一致しない他方が偽造品であると判断される。
【００５５】
ＣＮ３９コードは、体積が小さく（３ｃｍ×３ｃｍ）であり、データ量が多く（１０３９）、目視可能である。
【００５６】
五．ＣＮ３９コードの応用
【００５７】
１．ＣＮ３９コードは、商品の偽造防止に用いられる暗号技術である。また、メーカ及び消費者が研究開発に投資する必要がない上、特定の装置により、読み込み及び書き込みを行う必要がない。また、環境を汚染することがない上、経済的である。従来の偽造防止措置としては、偽造防止印刷用インク、偽造防止スタンプインク、偽造防止バーコード、偽造防止透かし、偽造防止構造、偽造防止ホログラム、原子核ダブルカード偽造防止などが存在する。これらの措置により、一定の偽造防止が実現されるが、偽造防止標識には、識別、検証などに所定の装置が必要であり、消費者自らが検証を行うことはできない。また、偽造防止標識の不法な使用は、社会に大きな損失を生み出すため、これらの偽造防止措置の有効性及び操作性は、好適に統一できない。
【００５８】
２．ＣＮ３９コードは、企業管理に応用され、メーカの各商品のデジタル管理に、国際標準に符合するデジタルプラットフォームを提供する。ＣＮ３９コードと商品とは、１つ１つ対応する。生産メーカは、商品追跡システムを構築し、各商品に対して追跡ファイルを構築する。これにより、生産メーカは、各商品の生産及び流通から最終消費者までの全過程を把握し、商品回収に最も正確なデジタル情報を提供し、時間を節約することができる。また、消費者の合法的な権益が保障される。
【００５９】
３．生産メーカが商品追跡システム（ＣＮ３９コード）を構築することにより、税務監査の際の利便性を高めることができる。また、流通過程を減少させ、商品をメーカから消費者に直接届け、流通コストを大幅に低減することができる。
【００６０】
４．追跡コードによって商品の流通先が記録されることにより、在庫転送が防止される。
【００６１】
５．財産権所有コードによって商品の所有権（即ち、販売権）が記録される。
【００６２】
六．商品情報の暗号化及び暗号解読演算システム、商品追跡回収システム、商品検索認証システム及びコンピュータデータ処理センターの構築
【００６３】
コンピュータデータ処理センターは、暗号化、暗号解読、符号化、復号化、ネットワーク伝送、データ検索、データ対比などの機能を有する。また、ＥＡＮコード（１３桁）データベース、ＣＮ３９コードデータベース、商用暗号データベースなどが構築される。商用暗号データベースは、暗号鍵及び商用暗号アルゴリズムの管理に用いられ、暗号鍵及びアルゴリズムの安全が確保される。
【００６４】
データ処理センターは、商品のＥＡＮコード（１３桁）データ及び商品のフロー番号コードデータを収集し、データベースを初期化する。また、商用暗号アルゴリズムによってデータベースのデータを暗号化し、１０進数１３桁の商品検証コードを生成し、ＣＮ３９コードに対応するデータベースに保存する。ＥＡＮバーコード（１３桁）を用い、上述の３組のデータを下部、中部及び上部の順番で印刷することにより、ＣＮ３９コードが取得される。各商品には、１つのＣＮ３９コードが用いられる。消費者がコード読み取り装置により、ある商品のＣＮ３９コードを読み取り、インターネットを通じてデータ処理センターに伝送すると、データ処理センターは、ＣＮ３９コードを復号化し、１０進数１３桁の３組のデータに変換し、商用暗号アルゴリズムによって暗号解読し、当該ＣＮ３９コードの有効性を検証する。有効の場合、ＥＡＮコード（１３桁）及びフロー番号コード（即ち、商品デジタル認証平文コード）を生成し、当該ＥＡＮコード（１３桁）及びフロー番号コードと、初期データベース中のＥＡＮコード（１３桁）及びフロー番号コードと、を対比し、対比結果を検索者に提供する。無効の場合、偽造品である。有効の場合、当該商品の某時間及び某地点における状態が表示され、消費者が自身で真偽を判断する。問題がある場合、商品は、即座に回収される上、当該ＣＮ３９コードが廃止される。
【００６５】
商品追跡回収システム：生産メーカは、商品の生産及び流通から消費者までの追跡回収システムを構築し、各商品の追跡ファイルを構築する。
【００６６】
商品検索認証システム：ウェブページ上に、商品情報ウィンドウ及び情報入力ウィンドウを表示することにより、消費者にセルフチェック機能及び監督機能を提供し、各種のクレームを受理する。検索認証システムは、固定電話、インターネット、ＰＯＳシステム、移動電話などの複数の検索方式を提供する。検索認証システムは、操作が簡単であり、使用が便利であるため、迅速に検索を行うことができる。これにより、消費者は、自ら検証を行うことができる上、複数回検証を行うことができる。
【００６７】
図面及び実施方法により、本発明の詳細な説明を行う。
【００６８】
１．暗号アルゴリズムの申請：
中国の商用暗号管理条例の規定に基づき、例えば、ハッシュアルゴリズム、乱数生成アルゴリズムなどの必要な商用暗号アルゴリズムの審査及び承認が行われる。
【００６９】
２．ＣＮ３９コード及びＥＡＮバーコード（１３桁）（図６参照）：
ＣＮ３９コードは、ＥＡＮコード（１３桁）、フロー番号コード及び検証コードから構成され、上部、中部及び下部の３組のデータから構成される。
【００７０】
３．ＣＮ３９コードの製造（図７参照）：
（１）初期化：データ処理センターが商品のＥＡＮコード（１３桁）、フロー番号コードを収集し、データベースを初期化する。
（２）暗号化：暗号アルゴリズムにより、当該データベースのデータを暗号化し、１０進数１３桁の商品検証コードを生成し、対応する暗号データベースに保存する。
（３）符号化：商品のＥＡＮコード（１３桁）、フロー番号コード及び検証コードを３組の１０進数１３桁の数字に分割し、ＣＮ３９コードデータベースに保存する。
（４）コードの印刷：ＥＡＮバーコード（１３桁）をＣＮ３９コードのデータキャリアとし、下部、中部及び上部の順にバーコード及びデータ（即ち、ＣＮ３９コード）を印刷する。
【００７１】
４．ＣＮ３９コードの識別（図８参照）
（１）コードの読み取り：消費者がコード読み取り装置により、ＣＮ３９コードを読み取り、インターネットを通じてデータ処理センターに伝送する。
（２）復号化：データ処理センターがＣＮ３９コードを復号化し、３組の１０進数１３桁の数字に変換し、検証コードを暗号データベースに保存する。
（３）暗号解読：データ処理センターが商用暗号アルゴリズムを用いて検証コードの暗号解読を行い、２組の１０進数１３桁の数字（即ち、デジタル認証平文コード）を生成する。
【００７２】
５．ＣＮ３９コードの対比（図９参照）
（１）データ処理センターが当該商品のデジタル認証平文コードと、初期データベース中の当該商品のＥＡＮコード（１３桁）及びフロー番号コードと、を対比する。
（２）対比結果をフィードバックし、一致する場合、当該商品の某時間及び某地点における状態を表示し、一致しない場合、当該商品が偽造品であるなどのエラー情報を表示する。
【００７３】
６．ＣＮ３９コードのデータフロー図（図１０参照）：
（１）データ処理センターを構築する。データ処理センターは、暗号化、暗号解読、符号化、復号化、インターネット伝送、データ検索、データ対比などの機能を有する。
（２）データ処理センターが収集する商品のＥＡＮコード（１３桁）及びフロー番号コードは、２組の１０進数１３桁のデータであり、暗号化により、１組の１３桁のデータを生成する。３組のデータをＣＮ３９コードデータベースに保存し、コンピュータがＣＮ３９コードを商品に印刷する。ＣＮ３９コードは、商品の通流と共に流通する。検索者がＣＮ３９コードの１０進数の数字データを読み取るか、或いは、ＣＮ３９コードのＥＡＮバーコードデータ（１３桁）を読み取り、データをデータ処理センターに伝送すると、商品の検証コードの暗号解読が行われ、商品のＥＡＮコード（１３桁）及びフロー番号コードの２組の１０進数の数字データが生成され、デジタル認証平文コードデータベースに保存される。また、デジタル認証平文コードデータベースと初期化データベースとが対比され、対比結果が検索者にフィードバックされる。
（３）商品追跡回収システムが各商品の生産及び流通から消費者までの全過程を記録し、問題のある商品を即座に回収する上、当該ＣＮ３９コードを廃止する。また、追跡コードによって商品の流通先が記録されることにより、在庫転送が防止される。
（４）商品検索認証システムがインターネット上にすべての商品の関連情報を公開し、消費者にセルフチェック機能及び監督機能を提供し、各種のクレームを受理する上、関連部門にクレーム情報をフィードバックする。
【図１】
0005260795.tif 000002
【図２】
0005260795.tif 000003
【図３】
0005260795.tif 000004
【図４】
0005260795.tif 000005
【図５】
0005260795.tif 000006
【図６】
0005260795.tif 000007
【図７】
0005260795.tif 000008
【図８】
0005260795.tif 000009
【図９】
0005260795.tif 000010
【図１０】
0005260795.tif 000011